(57)【要約】【課題】  ダイバーシティ受信およびシングル受信を切り替えて省電力化を図り、かつ、両受信の切り替えに起因する受信特性の劣化を防ぐことが可能なダイバーシティ受信装置を提供する。【解決手段】  ダイバーシティ受信装置は、ｎ本（ｎは２以上の自然数）のアンテナ１から受信した無線信号からデータを生成するｎ個の受信部１００と、所定の条件に基づいて各アンテナの選択，非選択を決定するアンテナ選択部８と、選択されたアンテナに対応するデータを選択合成する選択合成部１０１と、新たに選択されるアンテナに対応する受信部１００の起動および選択合成部１０１における選択合成の開始を所定の順番で行なう制御と、新たに非選択となるアンテナに対応する受信部１００の停止および選択合成部１０１における選択合成の停止を所定の順番で行なう制御とのうち、少なくともいずれか一方を行なう制御部９とを備える。【選択図】        図１
2006246364.tif 000002
【特許請求の範囲】
【請求項１】
ｎ本（ｎは２以上の自然数）のアンテナと、
ｎ本の前記アンテナと１対１で接続され、前記アンテナを介して受信した無線信号から少なくとも受信データを生成するｎ個の受信部と、
所定の条件に基づいてｎ本の前記アンテナをそれぞれ選択するか非選択とするかを決定し、かつ、ｎ本の前記アンテナの中から少なくとも１本の前記アンテナを選択するアンテナ選択部と、
前記選択された前記アンテナを介して受信した前記無線信号から生成されるデータのうち少なくとも前記受信データを選択合成する選択合成部と、
新たに選択される前記アンテナに対応する前記受信部の起動および前記新たに選択される前記アンテナを介して受信した前記無線信号から生成される前記データの前記選択合成部における選択合成の開始を所定の順番で行なわせる第１の制御と、新たに非選択となる前記アンテナに対応する前記受信部の停止および前記新たに非選択となる前記アンテナを介して受信した前記無線信号から生成される前記データの前記選択合成部における選択合成の停止を所定の順番で行なわせる第２の制御とのうち、少なくともいずれか一方を行なう制御部とを備えるダイバーシティ受信装置。
【請求項２】
前記制御部は、前記第１の制御を行なうときには、前記新たに選択される前記アンテナに対応する前記受信部を起動した後で、前記新たに選択される前記アンテナを介して受信した前記無線信号から生成される前記データの前記選択合成部における選択合成を開始させる請求項１記載のダイバーシティ受信装置。
【請求項３】
前記制御部は、前記第２の制御を行なうときには、前記新たに非選択となる前記アンテナを介して受信した前記無線信号から生成される前記データの前記選択合成部における選択合成を停止させた後で、前記新たに非選択となる前記アンテナに対応する前記受信部を停止する請求項１記載のダイバーシティ受信装置。
【請求項４】
前記受信部は、
前記アンテナを介して受信した前記無線信号からベースバンド信号を生成するチューナと、
前記ベースバンド信号をデジタル信号に変換するアナログデジタル変換部と、
前記デジタル信号を復調して前記受信データを生成する復調部とを含み、
前記制御部は、前記第１の制御を行なうときには、前記新たに選択される前記アンテナに対応する前記チューナ、前記アナログデジタル変換部、前記復調部を順番に起動した後で、前記新たに選択される前記アンテナに対応する前記受信データの前記選択合成部における選択合成を開始させる請求項１記載のダイバーシティ受信装置。
【請求項５】
前記受信部は、
前記アンテナを介して受信した前記無線信号からベースバンド信号を生成するチューナと、
前記ベースバンド信号をデジタル信号に変換するアナログデジタル変換部と、
前記デジタル信号を復調して前記受信データを生成する復調部とを含み、
前記制御部は、前記第２の制御を行なうときには、前記新たに非選択となる前記アンテナに対応する前記受信データの前記選択合成部における選択合成を停止させた後で、前記新たに非選択となる前記アンテナに対応する前記復調部、前記アナログデジタル変換部、前記チューナを順番に停止する請求項１記載のダイバーシティ受信装置。
【請求項６】
前記受信部は、
前記アンテナを介して受信した、直交周波数分割多重化変調された無線信号からベースバンド信号を生成するチューナと、
前記ベースバンド信号と前記ベースバンド信号が有効シンボル期間遅延された信号との相関値を算出する相関値算出部と、
前記相関値に基づいて、前記ベースバンド信号のキャリア同期を行なうキャリア同期部と、
ＦＦＴ演算を行なうべきＦＦＴ窓位置を決定するシンボル同期部と、
前記ＦＦＴ窓位置に基づいて、前記ベースバンド信号をＦＦＴ演算して前記受信データを生成するＦＦＴ演算部とを含み、
前記選択合成部は、
前記選択された前記アンテナに対応する前記受信データを選択合成するデータ選択合成部と、
前記選択された前記アンテナに対応する前記相関値を選択合成する相関値選択合成部とを含み、
前記シンボル同期部は、前記選択合成された相関値に基づいて前記ＦＦＴ窓位置を決定し、
前記制御部は、前記第１の制御を行なうときには、前記新たに選択される前記アンテナに対応する前記受信部を起動した後で、前記新たに選択される前記アンテナに対応する前記相関値の前記相関値選択合成部における選択合成および前記新たに選択される前記アンテナに対応する前記受信データの前記データ選択合成部における選択合成を所定の順番で開始させる請求項１記載のダイバーシティ受信装置。
【請求項７】
前記受信部は、
前記アンテナを介して受信した、直交周波数分割多重化変調された無線信号からベースバンド信号を生成するチューナと、
前記ベースバンド信号と前記ベースバンド信号が有効シンボル期間遅延された信号との相関値を算出する相関値算出部と、
前記相関値に基づいて、前記ベースバンド信号のキャリア同期を行なうキャリア同期部と、
ＦＦＴ演算を行なうべきＦＦＴ窓位置を決定するシンボル同期部と、
前記ＦＦＴ窓位置に基づいて、前記ベースバンド信号の有効シンボル期間のみをＦＦＴ演算して前記受信データを生成するＦＦＴ演算部とを含み、
前記選択合成部は、
前記選択された前記アンテナに対応する前記受信データを選択合成するデータ選択合成部と、
前記選択された前記アンテナに対応する前記相関値を選択合成する相関値選択合成部とを含み、
前記シンボル同期部は、前記選択合成された相関値に基づいて前記ＦＦＴ窓位置を決定し、
前記制御部は、前記第２の制御を行なうときには、前記新たに非選択となる前記アンテナに対応する前記相関値の前記相関値選択合成部における選択合成および前記新たに非選択となる前記アンテナに対応する前記受信データの前記データ選択合成部における選択合成を所定の順番で停止させた後で、前記新たに非選択となる前記アンテナに対応する前記受信部を停止する請求項１記載のダイバーシティ受信装置。
【請求項８】
前記チューナは、前記アンテナを介して受信した前記無線信号から、地上波デジタル放送で使用される周波数帯域を分割した複数個の帯域のうちのいずれかの帯域において直交周波数分割多重化変調された信号を抽出して前記ベースバンド信号を生成する、請求項６または請求項７に記載のダイバーシティ受信装置。
【発明の詳細な説明】
【技術分野】
【０００１】
本発明は、ダイバーシティ受信装置に関し、特に、ダイバーシティ受信およびシングル受信を切り替えるダイバーシティ受信装置に関する。
【背景技術】
【０００２】
移動体通信システムでは、フェージング等による受信特性の劣化を低減するために、複数本のアンテナで無線信号を受信し、複数本のアンテナに対応する受信データを生成し、それらを選択合成するダイバーシティ受信を行なうダイバーシティ受信装置が提案されている。ここで、受信特性とは、たとえば、ダイバーシティ受信装置が無線信号から生成する受信データのＢＥＲ（Bit Error Rate）、ＦＥＲ（Frame Error Rate）およびパケット損失率等である。
【０００３】
たとえば、特許文献１には、以下のようなダイバーシティ受信装置が開示されている。すなわち、２本のアンテナに対応する２系統の回路から出力されるデータをダイバーシティ回路において選択合成する。このような構成により、１本のアンテナのみで無線信号を受信するシングル受信構成と比べてダイバーシティ受信装置の受信特性を向上させることができる。
【特許文献１】特開２００３−２８３４５９号公報
【発明の開示】
【発明が解決しようとする課題】
【０００４】
しかしながら、特許文献１記載のダイバーシティ受信装置では、常にダイバーシティ受信を行なう構成であるため、省電力化を図れないという問題点があった。これは、無線信号の受信処理を行なう回路がアンテナの本数分必要になり、シングル受信を行なう構成と比べて消費電力が増大するからである。特に、省電力化の要請の強い携帯情報端末では消費電力の増大は重要な問題となる。
【０００５】
このような問題点を解決するために、必要に応じてダイバーシティ受信およびシングル受信を切り替えるダイバーシティ受信装置が従来から提案されている。しかしながら、このような従来のダイバーシティ受信装置では、ダイバーシティ受信およびシングル受信を切り替える際に受信特性が劣化するという問題点があった。
【０００６】
すなわち、電力供給が開始されてから各回路が安定するまでの期間は各回路で異なるところ、新たに有効にするアンテナに対応する各回路で同時に電力供給を開始すると、安定していない前段の回路から出力される信号によって後段の回路が誤動作して異常な信号を出力し、異常な信号が他の有効なアンテナに対応する信号と合成されることにより、ダイバーシティ受信装置の受信特性が劣化する場合がある。
【０００７】
また、電力供給が停止されてから各回路の出力が停止するまでの期間は各回路で異なるところ、新たに無効にするアンテナに対応する各回路で同時に電力供給を停止すると、前段の回路が出力を停止した時点で後段の回路が出力を停止しておらず、前段の回路からの出力がないことによって後段の回路が誤動作して異常な信号を出力し、異常な信号が他の有効なアンテナに対応する信号と合成されることにより、ダイバーシティ受信装置の受信特性が劣化する場合がある。
【０００８】
さらに、有効にするアンテナに対応する各回路で同時に電力供給を開始すると、各回路で同時にオーバーシュート（過渡電流）が発生する。そして、各回路における過渡電流が加算されることによって非常に大きな過渡電流となり、これに起因してノイズが発生する。このノイズにより、ダイバーシティ受信装置の受信特性が劣化することが考えられる。たとえば、発生したノイズが他の有効なアンテナに対応する信号と合成され、ダイバーシティ受信装置の受信特性が劣化する。
【０００９】
それゆえに、本発明の目的は、ダイバーシティ受信およびシングル受信を切り替えることによって省電力化を図るとともに、ダイバーシティ受信およびシングル受信の切り替えに起因する受信特性の劣化を防ぐことが可能なダイバーシティ受信装置を提供することである。
【課題を解決するための手段】
【００１０】
上記課題を解決するために、この発明のある局面に係わるダイバーシティ受信装置は、ｎ本（ｎは２以上の自然数）のアンテナと、ｎ本のアンテナと１対１で接続され、アンテナを介して受信した無線信号から少なくとも受信データを生成するｎ個の受信部と、所定の条件に基づいてｎ本のアンテナをそれぞれ選択するか非選択とするかを決定し、かつ、ｎ本のアンテナの中から少なくとも１本のアンテナを選択するアンテナ選択部と、選択されたアンテナを介して受信した無線信号から生成されるデータのうち少なくとも受信データを選択合成する選択合成部と、新たに選択されるアンテナに対応する受信部の起動および新たに選択されるアンテナを介して受信した無線信号から生成されるデータの選択合成部における選択合成の開始を所定の順番で行なわせる第１の制御と、新たに非選択となるアンテナに対応する受信部の停止および新たに非選択となるアンテナを介して受信した無線信号から生成されるデータの選択合成部における選択合成の停止を所定の順番で行なわせる第２の制御とのうち、少なくともいずれか一方を行なう制御部とを備える。
【００１１】
好ましくは、制御部は、第１の制御を行なうときには、新たに選択されるアンテナに対応する受信部を起動した後で、新たに選択されるアンテナを介して受信した無線信号から生成されるデータの選択合成部における選択合成を開始させる。
【００１２】
好ましくは、制御部は、第２の制御を行なうときには、新たに非選択となるアンテナを介して受信した無線信号から生成されるデータの選択合成部における選択合成を停止させた後で、新たに非選択となるアンテナに対応する受信部を停止する。
【００１３】
好ましくは、受信部は、アンテナを介して受信した無線信号からベースバンド信号を生成するチューナと、ベースバンド信号をデジタル信号に変換するアナログデジタル変換部と、デジタル信号を復調して受信データを生成する復調部とを含み、制御部は、第１の制御を行なうときには、新たに選択されるアンテナに対応するチューナ、アナログデジタル変換部、復調部を順番に起動した後で、新たに選択されるアンテナに対応する受信データの選択合成部における選択合成を開始させる。
【００１４】
好ましくは、受信部は、アンテナを介して受信した無線信号からベースバンド信号を生成するチューナと、ベースバンド信号をデジタル信号に変換するアナログデジタル変換部と、デジタル信号を復調して受信データを生成する復調部とを含み、制御部は、第２の制御を行なうときには、新たに非選択となるアンテナに対応する受信データの選択合成部における選択合成を停止させた後で、新たに非選択となるアンテナに対応する復調部、アナログデジタル変換部、チューナを順番に停止する。
【００１５】
好ましくは、受信部は、アンテナを介して受信した、直交周波数分割多重化変調された無線信号からベースバンド信号を生成するチューナと、ベースバンド信号とベースバンド信号が有効シンボル期間遅延された信号との相関値を算出する相関値算出部と、相関値に基づいて、ベースバンド信号のキャリア同期を行なうキャリア同期部と、ＦＦＴ演算を行なうべきＦＦＴ窓位置を決定するシンボル同期部と、ＦＦＴ窓位置に基づいて、ベースバンド信号をＦＦＴ演算して受信データを生成するＦＦＴ演算部とを含み、選択合成部は、選択されたアンテナに対応する受信データを選択合成するデータ選択合成部と、選択されたアンテナに対応する相関値を選択合成する相関値選択合成部とを含み、シンボル同期部は、選択合成された相関値に基づいてＦＦＴ窓位置を決定し、制御部は、第１の制御を行なうときには、新たに選択されるアンテナに対応する受信部を起動した後で、新たに選択されるアンテナに対応する相関値の相関値選択合成部における選択合成および新たに選択されるアンテナに対応する受信データのデータ選択合成部における選択合成を所定の順番で開始させる。
【００１６】
好ましくは、受信部は、アンテナを介して受信した、直交周波数分割多重化変調された無線信号からベースバンド信号を生成するチューナと、ベースバンド信号とベースバンド信号が有効シンボル期間遅延された信号との相関値を算出する相関値算出部と、相関値に基づいて、ベースバンド信号のキャリア同期を行なうキャリア同期部と、ＦＦＴ演算を行なうべきＦＦＴ窓位置を決定するシンボル同期部と、ＦＦＴ窓位置に基づいて、ベースバンド信号の有効シンボル期間のみをＦＦＴ演算して受信データを生成するＦＦＴ演算部とを含み、選択合成部は、選択されたアンテナに対応する受信データを選択合成するデータ選択合成部と、選択されたアンテナに対応する相関値を選択合成する相関値選択合成部とを含み、シンボル同期部は、選択合成された相関値に基づいてＦＦＴ窓位置を決定し、制御部は、第２の制御を行なうときには、新たに非選択となるアンテナに対応する相関値の相関値選択合成部における選択合成および新たに非選択となるアンテナに対応する受信データのデータ選択合成部における選択合成を所定の順番で停止させた後で、新たに非選択となるアンテナに対応する受信部を停止する。
【００１７】
より好ましくは、チューナは、アンテナを介して受信した無線信号から、地上波デジタル放送で使用される周波数帯域を分割した複数個の帯域のうちのいずれかの帯域において直交周波数分割多重化変調された信号を抽出してベースバンド信号を生成する。
【発明の効果】
【００１８】
本発明によれば、ダイバーシティ受信およびシングル受信を切り替えることによって省電力化を図るとともに、ダイバーシティ受信およびシングル受信の切り替えに起因する受信特性の劣化を防ぐことができる。
【発明を実施するための最良の形態】
【００１９】
以下、本発明の実施の形態について図面を用いて説明する。
【００２０】
［構成および基本動作］
図１は、本発明の実施の形態に係るダイバーシティ受信装置の機能ブロック図である。
【００２１】
同図を参照して、このダイバーシティ受信装置は、アンテナ１ａと、アンテナ１ｂと、受信部１００ａと、受信部１００ｂと、選択合成部１０１と、クロック生成部５と、アンテナ選択部８と、制御部９と、デインタリーブ部１０と、デマッピング部１１と、誤り訂正部１２とを備える。
【００２２】
受信部１００ａは、チューナ２ａと、Ａ／Ｄ(Analog/Digital)変換部３ａと、ＯＦＤＭ（Orthogonal Frequency Division Multiplexing）復調部４ａとを含む。受信部１００ｂは、チューナ２ｂと、Ａ／Ｄ変換部３ｂと、ＯＦＤＭ復調部４ｂとを含む。選択合成部１０１は、データ選択合成部６と、相関値選択合成部７とを含む。
【００２３】
アンテナ１ａは、地上デジタル放送の技術規格であるＩＳＤＢ−Ｔ（Integrated Service Digital Broadcast-Terrestrial）にしたがったＯＦＤＭ変調された無線信号を受信する。ＯＦＤＭ変調方式は、直交する多数の搬送波を変調して多重化する方式であり、マルチキャリア変調方式の一種である。このＯＦＤＭ変調方式は、ガードインターバルという遅延波を吸収するための時間を設けることによって、マルチパスによる干渉に強いという特徴がある。地上デジタル放送では、１個のチャネル（帯域約５．６ＭＨｚ）は、１３個のセグメント（１セグメントが約４３０ｋＨｚ）からなる。
【００２４】
チューナ２ａは、アンテナ１ａから受けた無線信号のうちの所定のチャネルにおける信号（以下、ＯＦＤＭ信号という）を抽出する。そして、チューナ２ａは、ＯＦＤＭ信号の増幅、周波数変換および干渉波の除去等を行ない、ベースバンド帯のアナログのＯＦＤＭ信号に変換する。
【００２５】
Ａ／Ｄ変換部３ａは、ベースバンド帯のアナログのＯＦＤＭ信号をデジタル値（以下、デジタルＯＦＤＭ信号という。）に変換する。
【００２６】
ＯＦＤＭ復調部４ａは、Ａ／Ｄ変換部３ａから受けたデジタルＯＦＤＭ信号を復調して受信データを生成し、データ選択合成部６へ出力する。また、ＯＦＤＭ復調部４ａは、Ａ／Ｄ変換部３ａから受けたデジタルＯＦＤＭ信号から相関値を生成し、相関値選択合成部７へ出力する。
【００２７】
アンテナ１ｂ、チューナ２ｂ、Ａ／Ｄ変換部３ｂおよびＯＦＤＭ復調部４ｂの動作は、アンテナ１ａ、チューナ２ａ、Ａ／Ｄ変換部３ａ、ＯＦＤＭ復調部４ａと同様であるため説明を省略する。なお、以下において、アンテナ１ａおよびアンテナ１ｂ、チューナ２ａおよびチューナ２ｂ、Ａ／Ｄ変換部３ａおよびＡ／Ｄ変換部３ｂ、ＯＦＤＭ復調部４ａおよびＯＦＤＭ復調部４ｂを総称するときには、それぞれ符号１，２，３および４を用いる。
【００２８】
クロック生成部５は、クロック同期部６１から受けたクロック生成制御信号に基づいて同期クロックを生成し、ダイバーシティ受信装置におけるＡ／Ｄ変換部３の後段の各ブロックへ出力する。また、クロック生成部５は、非同期クロックをダイバーシティ受信装置における各ブロックへ出力する。
【００２９】
アンテナ選択部８は、所定の条件に基づいて、アンテナ１ａおよびアンテナ１ｂのうち少なくともいずれか一方を選択し、選択したアンテナを表わすアンテナ選択情報を制御部９へ出力する。すなわち、アンテナ選択部８は、所定の条件に基づいて、このダイバーシティ受信装置がシングル受信を行なうべきかダイバーシティ受信を行なうべきかを判断し、アンテナ１ａおよびアンテナ１ｂのいずれか一方を選択するか、またはアンテナ１ａおよびアンテナ１ｂの両方を選択するかを決定する。
【００３０】
データ選択合成部６は、アンテナ選択部８が選択したアンテナに対応するＯＦＤＭ復調部から受けた受信データを選択合成し、選択合成した受信データをデインタリーブ部１０へ出力する。すなわち、データ選択合成部６は、アンテナ選択部８がアンテナ１ａおよびアンテナ１ｂのいずれか一方を選択した場合には、選択されたアンテナに対応するＯＦＤＭ復調部４ａまたはＯＦＤＭ復調部４ｂから受けた受信データをデインタリーブ部１０へ出力する。また、データ選択合成部６は、アンテナ選択部８がアンテナ１ａおよびアンテナ１ｂの両方を選択した場合には、ダイバーシティ受信装置の受信特性などに基づいて決定されるアンテナごとの係数をＯＦＤＭ復調部４ａから受けた受信データおよびＯＦＤＭ復調部４ｂから受けた受信データに乗じて合成し、デインタリーブ部１０へ出力する。なお、アンテナ１ａまたはアンテナ１ｂのいずれかに対応する係数が０である場合には、データ選択合成部６は、ＯＦＤＭ復調部４ａから受けた受信データおよびＯＦＤＭ復調部４ｂから受けた受信データのいずれか一方をデインタリーブ部１０へ出力することになる。
【００３１】
ここで、データ選択合成部６が行なう選択合成は、上記に限定されるものではなく、たとえば、特許文献１記載のダイバーシティ回路が行なう選択合成であってもよい。
【００３２】
制御部９は、アンテナ選択部８から受けたアンテナ選択情報に基づいて、新たに選択されるアンテナ１に対応するチューナ２、Ａ／Ｄ変換部３およびＯＦＤＭ復調部４の起動と、新たに選択されるアンテナ１に対応する受信データのデータ選択合成部６における選択合成の開始と、新たに選択されるアンテナ１に対応する相関値の相関値選択合成部７における選択合成の開始とを行なう順番を決定する。そして、制御部９は、決定した順番に基づいて、チューナ２、Ａ／Ｄ変換部３およびＯＦＤＭ復調部４のそれぞれに起動命令を出力する。また、制御部９は、決定した順番に基づいて、データ選択合成部６および相関値選択合成部７のそれぞれに選択合成開始命令を出力する。
【００３３】
さらに、制御部９は、アンテナ選択部８から受けたアンテナ選択情報に基づいて、新たに非選択となるアンテナ１に対応するチューナ２、Ａ／Ｄ変換部３およびＯＦＤＭ復調部４の停止と、新たに非選択となるアンテナ１に対応する受信データのデータ選択合成部６における選択合成の停止と、新たに非選択となるアンテナ１に対応する相関値の相関値選択合成部７における選択合成の停止とを行なう順番を決定する。そして、制御部９は、決定した順番に基づいて、チューナ２、Ａ／Ｄ変換部３およびＯＦＤＭ復調部４のそれぞれに停止命令を出力する。また、制御部９は、決定した順番に基づいて、データ選択合成部６および相関値選択合成部７のそれぞれに選択合成停止命令を出力する。
【００３４】
なお、制御部９の行なうチューナ２およびＡ／Ｄ変換部３の起動制御は、たとえば、電源供給の開始およびスタンバイ（省電力）モードの解除などの制御である。また、制御部９の行なうＯＦＤＭ復調部４の起動制御は、たとえば、電源供給の開始およびクロック供給の開始などの制御である。また、制御部９の行なうチューナ２およびＡ／Ｄ変換部３の停止制御は、たとえば、電源供給の停止およびスタンバイ（省電力）モードへの移行などの制御である。また、制御部９の行なうＯＦＤＭ復調部４の停止制御は、電源供給の停止およびクロック供給の停止などの制御である。
【００３５】
デインタリーブ部１０は、後述のＴＭＣＣ（Transmission and Multiplexing Configuration Control）信号にしたがって、送信側で耐フェージング用に施されたインタリーブをもとにもどす。
【００３６】
デマッピング部１１は、後述のＴＭＣＣ信号にしたがって、１６ＱＡＭ（Quadrature Amplitude Modulation）、またはＱＰＳＫ(Quaternary Phase Shift Keying)などの変調方式に応じてマッピング処理されたデータのデマッピング処理を行なう。
【００３７】
誤り訂正部１２は、後述のＴＭＣＣ信号にしたがって、ビタビ復号およびリードソロモン復号等による誤り訂正を行ない、ＴＳＰ(Transport Stream Packet)を生成する。ＴＳＰは、図示しないデコーダで復号化され、復号化された映像および音声がテレビに表示される。
【００３８】
図２（ａ）は、１フレーム期間のＯＦＤＭ信号の構成を示す。同図に示すように、２０４シンボルで１フレームが構成される。１シンボル期間は、有効シンボル期間と、その直前のガードインターバル期間とで構成される。有効シンボル期間には、映像または音声信号と、複数個のＴＭＣＣ信号などが含まれている。
【００３９】
図２（ｂ）は、１シンボル期間のＯＦＤＭ信号の構成を示す。
【００４０】
ガードインターバルの期間の信号は、有効シンボル期間の信号の最後の部分をコピーしたものである。このようなガードインターバル期間を設けることによって、反射等により遅延した現シンボル以前のシンボルを現シンボルにおけるガードインターバル期間の終了時までに受信を完了した場合には、現シンボル以前のシンボルによる干渉を防止することができる。
【００４１】
図３は、本発明の実施の形態に係るダイバーシティ受信装置におけるＯＦＤＭ復調部４の機能ブロック図である。
【００４２】
同図を参照して、ＯＦＤＭ復調部４は、内挿部５１と、狭帯域キャリア同期部５２と、ＦＦＴ(Fast Fourier Transform；高速フーリエ変換）演算部５３と、広帯域キャリア同期部５４と、等化部５５と、フレーム同期・ＴＭＣＣ復号部５６と、最大値保持部５７と、比較部５８と、モード／ガードインターバル決定部５９と、シンボル同期部６０と、クロック同期部６１と、相関値算出部６２とを含む。
【００４３】
内挿部５１は、Ａ／Ｄ変換部３から出力されるデジタルＯＦＤＭ信号を用いて、クロック生成部５から出力される同期クロックのタイミングにおけるデジタルＯＦＤＭ信号の値（以下、同期デジタルＯＦＤＭ信号）を求めて、それを出力する。
【００４４】
狭帯域キャリア同期部５２は、相関値算出部６２によって得られた相関値を用いて、内挿部５１から出力される同期デジタルＯＦＤＭ信号のキャリア間隔内のキャリア同期（周波数同期）を行なう。
【００４５】
ＦＦＴ演算部５３は、後述するＦＦＴ窓位置の表わす期間、同期デジタルＯＦＤＭ信号をシンボル単位でＦＦＴ演算することによってＯＦＤＭ復調、つまり時間軸上の信号を周波数軸上の信号に変換する。
【００４６】
広帯域キャリア同期部５４は、ＦＦＴ演算部５３から出力される信号のキャリア間隔単位のキャリア同期（周波数同期）を行なう。
【００４７】
フレーム同期・ＴＭＣＣ復号部５６は、２０４個のシンボルからなるフレームの同期を確立するとともに、伝送パラメータを表わす制御信号であるＴＭＣＣを復号し、ＯＦＤＭ復調部４における各ブロックならびに図１に示す選択合成部１０１、デインタリーブ部１０、デマッピング部１１および誤り訂正部１２等へ出力する。
【００４８】
等化部５５は、周波数軸上において所定の規則にしたがって埋込まれたパイロット信号を利用して伝送路の特性を推定し、推定した特性で広帯域キャリア同期部５４から出力される信号の波形を等化（補正）し、受信データとして出力する。
【００４９】
相関値算出部６２は、モード（有効シンボル期間）およびガードインターバル期間の組み合わせを表わすモード／ガードインターバルごとに相関値算出回路７０を含む。各相関値算出回路７０は、並列に動作する。各相関値算出回路７０は、それに固有のモードおよびガードインターバル期間にしたがって、相関値を算出する。なお、モードが異なると、キャリア間隔、シンボル長、およびキャリア数のうち少なくとも１つが異なる。なお、相関値算出部６２が、１個の相関値算出回路７０を含み、相関値算出回路７０が時分割でモード／ガードインターバルごとの相関値を算出する構成としてもよい。
【００５０】
［相関値算出回路７０の構成］
図４は、モード／ガードインターバルごとの相関値算出回路７０の構成を示す図である。
【００５１】
同図を参照して、この相関値算出回路７０は、遅延部１３１と、共役複素部１３２と、乗算器１３３と、移動平均部１３４とを含む。
【００５２】
遅延部１３１は、狭帯域キャリア同期部５２から出力される信号Ｘ（ｔ）を有効シンボル期間だけ遅延させた遅延信号ＤＸ（ｔ）を出力する。
【００５３】
共役複素部１３２は、遅延信号ＤＸ（ｔ）の複素共役である複素共役遅延信号ＤＸ′（ｔ）を出力する。
【００５４】
乗算器１３３は、信号Ｘ（ｔ）と、共役複素部１３２から出力される複素共役遅延信号ＤＸ′（ｔ）とを複素乗算し、乗算信号｛Ｘ（ｔ）×ＤＸ′（ｔ）｝を出力する。
【００５５】
移動平均部１３４は、乗算器１３３から出力される乗算信号｛Ｘ（ｔ）×ＤＸ′（ｔ）｝のガードインターバルの期間幅に相当するＮ個のサンプルの移動平均、つまり最新のＮ個の乗算信号｛Ｘ（ｔ）×ＤＸ′（ｔ）｝の平均値または積分値を算出して、算出結果を相関値Ｒ（ｔ）として出力する。
【００５６】
図５は、信号Ｘ（ｔ）と、遅延信号ＤＸ（ｔ）と、相関値Ｒ（ｔ）の時間変化を表わす図である。
【００５７】
同図に示すように、遅延信号ＤＸ（ｔ）は、信号Ｘ（ｔ）に対して有効シンボル期間だけ遅延している。これにより、信号Ｘ（ｔ）の有効シンボル期間の最後（これは、遅延信号ＤＸ（ｔ）のガードインターバル期間の最後と等しい）の時点で、相関値Ｒ（ｔ）は、三角波信号のピーク値を示す。
【００５８】
ここで、図１に示す相関値選択合成部７は、アンテナ選択部８が選択したアンテナに対応するＯＦＤＭ復調部における各相関値算出回路７０から受けた相関値を選択合成し、選択合成した相関値をＯＦＤＭ復調部４ａおよびＯＦＤＭ復調部４ｂへ出力する。すなわち、相関値選択合成部７は、アンテナ選択部８がアンテナ１ａおよびアンテナ１ｂのいずれか一方を選択した場合には、選択されたアンテナに対応するＯＦＤＭ復調部４ａまたはＯＦＤＭ復調部４ｂから受けた相関値を選択されたアンテナに対応するＯＦＤＭ復調部４ａまたはＯＦＤＭ復調部４ｂへ出力する。また、相関値選択合成部７は、アンテナ選択部８がアンテナ１ａおよびアンテナ１ｂの両方を選択した場合には、ダイバーシティ受信装置の受信特性などに基づいて決定されるアンテナごとの係数をＯＦＤＭ復調部４ａから受けた相関値およびＯＦＤＭ復調部４ｂから受けた相関値に乗じて合成し、ＯＦＤＭ復調部４ａおよびＯＦＤＭ復調部４ｂへ出力する。なお、相関値選択合成部７は、アンテナ選択部８がアンテナ１ａおよびアンテナ１ｂの両方を選択した場合には、ＯＦＤＭ復調部４ａから受けた相関値をＯＦＤＭ復調部４ａへ出力し、かつ、ＯＦＤＭ復調部４ｂから受けた相関値をＯＦＤＭ復調部４ｂへ出力する構成であってもよい。
【００５９】
また、アンテナ１ａまたはアンテナ１ｂのいずれかに対応する係数が０である場合には、相関値選択合成部７は、ＯＦＤＭ復調部４ａから受けた相関値およびＯＦＤＭ復調部４ｂから受けた相関値のいずれか一方をＯＦＤＭ復調部４ａおよびＯＦＤＭ復調部４ｂへ出力することになる。
【００６０】
このような構成により、フェージング等によってアンテナ１ａおよびアンテナ１ｂのいずれか一方がヌル点、すなわち無線信号の受信レベルの非常に低い場所になり、ヌル点となっているアンテナで受信した無線信号から十分なレベルの相関値を取得することができない場合でも、ヌル点となっていないアンテナで受信した無線信号から十分なレベルの相関値を取得することができ、ＯＦＤＭ復調部４におけるクロック同期およびシンボル同期を正常に行なうことができる。
【００６１】
再び図３を参照して、最大値保持部５７は、相関値選択合成部７から出力されるモード／ガードインターバルごとの相関値の最大値、すなわち前述の三角波信号のピーク値をそれぞれ保持して、それらを比較部５８に出力する。
【００６２】
比較部５８は、モード／ガードインターバルごとの相関値の最大値の中で最大の値を特定し、特定した最大の値が所定の閾値を超えるか否かを調べて、比較結果をモード／ガードインターバル決定部５９に出力する。
【００６３】
モード／ガードインターバル決定部５９は、特定した最大の値が所定の閾値を超えていることを比較結果が表わす場合には、その最大の値に対応する相関値算出回路を特定し、その相関値算出回路が相関値の算出のために用いたモード／ガードインターバルを表わすモード／ガードインターバル信号を出力する。モード／ガードインターバル決定部５９は、特定した最大の値が所定の閾値を越えることを示す比較結果を受けるまでは、最も特定される確率の高いモード／ガードインターバルを表わすモード／ガードインターバル信号を出力する。なお、モード／ガードインターバル決定部５９は、特定した最大の値が所定の閾値を越えることを示す比較結果を受けるまでは、モード／ガードインターバル信号を出力しない等の構成であってもよい。
【００６４】
シンボル同期部６０は、モード／ガードインターバル信号および相関値選択合成部７から受けた相関値に基づいてシンボル同期を行なう、すなわち、ＦＦＴ演算を行なうべき期間を表わすＦＦＴ窓位置を決定し、ＦＦＴ窓位置をＦＦＴ演算部５３へ通知する。ここで、ＦＦＴ窓位置は、たとえば、有効シンボル期間を表わすか、またはガードインターバル期間の一部および有効シンボル期間の一部を合わせた有効シンボル期間と同じ長さの期間を表わす。
【００６５】
クロック同期部６１は、モード信号／ガードインターバル信号および相関値選択合成部７から受けた相関値に基づいてクロック同期を行なう、すなわち、同期クロックを生成するためのクロック生成制御信号を生成してクロック生成部５へ出力する。
【００６６】
なお、シンボル同期部６０およびクロック同期部６１は、ＯＦＤＭ復調部４ａおよびＯＦＤＭ復調部４ｂのいずれか一方に含まれる構成であってもよい。この場合、シンボル同期部６０は、ＯＦＤＭ復調部４ａにおけるＦＦＴ演算部５３およびＯＦＤＭ復調部４ｂにおけるＦＦＴ演算部５３へＦＦＴ窓位置を通知する。
【００６７】
［切替動作］
次に、本発明の実施の形態に係るダイバーシティ受信装置がシングル受信およびダイバーシティ受信を切り替える際の動作について説明する。
【００６８】
図６は、本発明の実施の形態に係るダイバーシティ受信装置がシングル受信からダイバーシティ受信に切り替わる際の動作手順を定めたフローチャートである。ここでは、アンテナ選択部８は、シングル受信を行なうべきと判断した場合にはアンテナ１ａを選択すると仮定して説明を行なう。
【００６９】
制御部９は、アンテナ選択部８からアンテナ選択情報を受けて、シングル受信からダイバーシティ受信に切り替える必要がある場合には、最初に、新たに選択されるアンテナ１ｂに対応するチューナ２ｂを起動する制御を行なう（Ｓ１）。
【００７０】
次に、制御部９は、新たに選択されるアンテナ１ｂに対応するＡ／Ｄ変換部３ｂを起動する制御を行なう（Ｓ２）。
【００７１】
次に、制御部９は、図示しない制御信号をクロック生成部５へ出力し、新たに選択されるアンテナ１ｂに対応するＯＦＤＭ復調部４ｂへのクロック供給をクロック生成部５に開始させる制御を行なう（Ｓ３）。
【００７２】
次に、制御部９は、ＯＦＤＭ復調部４ｂをリセットする制御を行なう（Ｓ４）。これは、ＯＦＤＭ復調部４ｂのシンボル同期部６０およびクロック同期部６１において、クロックが供給されているにも関わらず同期が確立できない状態が発生する場合があり、この状態をリセットによって強制的に解除して、シンボル同期部６０およびクロック同期部６１における同期を確実に行なうためである。
【００７３】
次に、制御部９は、所定の期間だけ待機する（Ｓ５）。この所定の期間は、シンボル同期部６０およびクロック同期部６１において同期が確立するまでに十分な期間である。
【００７４】
次に、制御部９は、フレーム同期・ＴＭＣＣ復号部５６においてフレーム同期が確立しているか否かを検出し、フレーム同期が確立している場合には（Ｓ６でＹＥＳ）、新たに選択されるアンテナ１ｂに対応する受信データ、すなわち、ＯＦＤＭ復調部４ｂから出力される受信データの選択合成を開始する命令をデータ選択合成部６へ出力する（Ｓ７）。
【００７５】
データ選択合成部６は、制御部９からこの命令を受けて、ＯＦＤＭ復調部４ｂから出力される受信データの選択合成を開始する、すなわち、ＯＦＤＭ復調部４ａから出力される受信データおよびＯＦＤＭ復調部４ｂから出力される受信データを選択合成する（Ｓ７）。
【００７６】
次に、制御部９は、新たに選択されるアンテナ１ｂに対応する相関値、すなわち、ＯＦＤＭ復調部４ｂから出力される相関値の選択合成を開始する命令を相関値選択合成部７へ出力する（Ｓ７）。
【００７７】
相関値選択合成部７は、制御部９からこの命令を受けて、ＯＦＤＭ復調部４ｂから出力される相関値の選択合成を開始する、すなわち、ＯＦＤＭ復調部４ａから出力される相関値およびＯＦＤＭ復調部４ｂから出力される相関値を選択合成する（Ｓ８）。
【００７８】
一方、制御部９は、フレーム同期・ＴＭＣＣ復号部５６においてフレーム同期が確立しているか否かを検出し、フレーム同期が確立していない場合には（Ｓ６でＮＯ）、再びＯＦＤＭ復調部４ｂをリセットする制御を行なう（Ｓ４）。
【００７９】
なお、新たに選択されるアンテナ１ｂに対応する受信データのデータ選択合成部６における選択合成の開始および新たに選択されるアンテナ１ｂに対応する相関値の相関値選択合成部７における選択合成の開始の順番は、相関値選択合成部７における選択合成を開始した後でデータ選択合成部６における選択合成を開始する順番であってもよい。また、データ選択合成部６における選択合成および相関値選択合成部７における選択合成を同時に開始するとダイバーシティ受信装置の受信特性が劣化する可能性が高いため、データ選択合成部６における選択合成の開始および相関値選択合成部７における選択合成の開始は順番に行なうことが望ましいが、ダイバーシティ受信装置における受信特性の劣化がダイバーシティ受信装置の仕様上許容できる範囲内である場合には、データ選択合成部６における選択合成および相関値選択合成部７における選択合成を同時に開始してもよい。
【００８０】
図７は、本発明の実施の形態に係るダイバーシティ受信装置がダイバーシティ受信からシングル受信に切り替わる際の動作手順を定めたフローチャートである。ここでは、アンテナ選択部８は、シングル受信を行なうべきと判断した場合にはアンテナ１ａを選択すると仮定して説明を行なう。
【００８１】
制御部９は、アンテナ選択部８からアンテナ選択情報を受けて、ダイバーシティ受信からシングル受信に切り替える必要がある場合には、最初に、制御部９は、新たに非選択となるアンテナ１ｂに対応する相関値、すなわち、ＯＦＤＭ復調部４ｂから出力される相関値の選択合成を停止する命令を相関値選択合成部７へ出力する（Ｓ１１）。
【００８２】
相関値選択合成部７は、制御部９からこの命令を受けて、ＯＦＤＭ復調部４ｂから出力される相関値の選択合成を停止する（Ｓ１１）。
【００８３】
次に、制御部９は、新たに非選択となるアンテナ１ｂに対応する受信データ、すなわち、ＯＦＤＭ復調部４ｂから出力される受信データの選択合成を停止する命令をデータ選択合成部６へ出力する（Ｓ１２）。
【００８４】
データ選択合成部６は、制御部９からこの命令を受けて、ＯＦＤＭ復調部４ｂから出力される受信データの選択合成を停止する（Ｓ１２）。
【００８５】
次に、制御部９は、図示しない制御信号をクロック生成部５へ出力し、新たに非選択となるアンテナ１ｂに対応するＯＦＤＭ復調部４ｂへのクロック供給をクロック生成部５に停止させる制御を行なう（Ｓ１３）。
【００８６】
次に、制御部９は、新たに非選択となるアンテナ１ｂに対応するＡ／Ｄ変換部３ｂを停止する制御を行なう（Ｓ１４）。
【００８７】
次に、制御部９は、新たに非選択となるアンテナ１ｂに対応するチューナ２ｂを停止する制御を行なう（Ｓ１５）。
【００８８】
次に、制御部９は、新たに非選択となるアンテナ１ｂに対応するＯＦＤＭ復調部４ｂをリセットする制御を行なう（Ｓ１６）。これは、ＯＦＤＭ復調部４ｂのフレーム同期・ＴＭＣＣ復号部５６において確実にフレーム非同期状態とするためである。すなわち、ＯＦＤＭ復調部４ｂへのクロック供給を停止してもフレーム同期・ＴＭＣＣ復号部５６においてフレーム同期が確立したままの状態となる場合があり、この状態のまま制御部９が再びＯＦＤＭ復調部４ｂへのクロック供給をクロック生成部５に開始させる制御を行なうと、フレーム同期が確立していないにも関わらず、ＯＦＤＭ復調部４ｂが、フレーム同期が確立しているという誤認識の条件のもと動作を行なうため、ＯＦＤＭ復調部４ｂ、あるいは選択合成部１０１が誤動作する可能性があるからである。
【００８９】
なお、新たに非選択となるアンテナ１ｂに対応する受信データのデータ選択合成部６における選択合成の停止および新たに非選択となるアンテナ１ｂに対応する相関値の相関値選択合成部７における選択合成の停止の順番は、データ選択合成部６における選択合成を停止した後で相関値選択合成部７における選択合成を停止する順番であってもよい。また、データ選択合成部６における選択合成および相関値選択合成部７における選択合成を同時に停止するとダイバーシティ受信装置の受信特性が劣化する可能性が高いため、データ選択合成部６における選択合成の停止および相関値選択合成部７における選択合成の停止は順番に行なうことが望ましいが、ダイバーシティ受信装置における受信特性の劣化がダイバーシティ受信装置の仕様上許容できる範囲内である場合には、データ選択合成部６における選択合成および相関値選択合成部７における選択合成を同時に停止してもよい。
【００９０】
次に、アンテナ選択部８が、シングル受信を行なうべきかダイバーシティ受信を行なうべきかを判断する基準となる所定の条件の具体例について説明する。
【００９１】
［切替判断基準の第１の例］
図８は、本発明の実施の形態に係るダイバーシティ受信装置におけるアンテナ選択部８が、シングル受信からダイバーシティ受信に切り替えるべきであると判断する際の動作手順の第１の例を定めたフローチャートである。
【００９２】
まず、アンテナ選択部８は、所定の期間だけ待機する（Ｓ２１）。この所定の期間は、無線信号の受信状態を表わす測定値が更新されるのに十分な期間である。
【００９３】
次に、アンテナ選択部８は、ＢＥＲ、ＡＧＣ（Automatic Gain Control）制御値およびずれ異常数を図示しないリードレジスタから読み込む（Ｓ２２）。ここで、ずれ異常数とは、たとえばＱＰＳＫなどの変調方式における信号点が配置される同相（Ｉ相）成分と直交位相（Ｑ相）成分とからなる位相平面上において、所定の範囲から外れてしまう信号点の数であり、無線信号の受信状態の指標であるＣＮＲと等価である。また、たとえば、ＢＥＲは誤り訂正部１２で測定され、ＡＧＣ制御値は狭帯域キャリア同期部５２から出力される信号のレベルからＡＧＣ制御値を生成する図示しないＡＧＣ部から取得され、ずれ異常数はデマッピング部１１において測定される。
【００９４】
次に、アンテナ選択部８は、ＢＥＲが所定値Ｘ１より大きいか、または、ＡＧＣ制御値が所定値Ｘ２より大きいか、または、ずれ異常数が所定値Ｘ３より大きい場合には（Ｓ２３でＹＥＳ）、無線信号の受信状態が悪いため、ダイバーシティ受信を行なうべきであると判断する（Ｓ２４）。
【００９５】
一方、アンテナ選択部８は、ＢＥＲが所定値Ｘ１以下であり、かつ、ＡＧＣ制御値が所定値Ｘ２以下であり、かつ、ずれ異常数が所定値Ｘ３以下である場合には、無線信号の受信状態が良好であるため、継続してシングル受信を行なうべきであると判断する（Ｓ２３でＮＯ）。そして、アンテナ選択部８は、所定の期間だけ待機する、すなわち、無線信号の受信状態を表わす測定値が更新されるまで待機する（Ｓ２１）。
【００９６】
図９は、本発明の実施の形態に係るダイバーシティ受信装置におけるアンテナ選択部８が、ダイバーシティ受信からシングル受信に切り替えるべきであると判断する際の動作手順の第１の例を定めたフローチャートである。
【００９７】
まず、アンテナ選択部８は、所定の期間だけ待機する（Ｓ３１）。この所定の期間は、無線信号の受信状態を表わす測定値が更新されるのに十分な期間である。
【００９８】
次に、アンテナ選択部８は、ＢＥＲ、ＡＧＣ制御値およびずれ異常数を図示しないリードレジスタから読み込む（Ｓ３２）。
【００９９】
次に、アンテナ選択部８は、ＢＥＲが所定値Ｙ１より小さく、かつ、ＡＧＣ制御値が所定値Ｘ２より小さく、かつ、ずれ異常数が所定値Ｘ３より小さい場合には（Ｓ３３でＹＥＳ）、アンテナ選択部８が保持しているカウンタ値ＣＮＴに１を加える（Ｓ３４）。そして、アンテナ選択部８は、カウンタ値ＣＮＴが１０になると（Ｓ３５でＹＥＳ）、無線信号の受信状態が良好であるため、シングル受信を行なうべきであると判断し、カウンタ値ＣＮＴを０に戻す（Ｓ３６）。また、アンテナ選択部８は、カウンタ値ＣＮＴが１０未満である場合には（Ｓ３５でＮＯ）、再び所定の期間だけ待機する（Ｓ３１）。
【０１００】
なお、ここでは、アンテナ選択部８がシングル受信を行なうべきであると判断する基準となるカウンタ値ＣＮＴを１０としたが、これに限定するものではなく、カウンタ値ＣＮＴを１以上の自然数に設定する構成とすることができる。
【０１０１】
一方、アンテナ選択部８は、ＢＥＲが所定値Ｙ１以上であるか、または、ＡＧＣ制御値が所定値Ｘ２以上であるか、または、ずれ異常数が所定値Ｘ３以上である場合には（Ｓ３３でＮＯ）、カウンタ値ＣＮＴを０に戻し（Ｓ３７）、再び所定の期間だけ待機する（Ｓ３１）。
【０１０２】
したがって、無線信号の受信状態を表わす測定値が連続して良好である場合にのみシングル受信に変更することで、ダイバーシティ受信からシングル受信に誤って切り替えることによるダイバーシティ受信装置の受信特性の劣化を防ぐことができる。すなわち、無線信号の受信状態が良好な状態および悪い状態がフェージング等によって短期間に切り替わり、無線信号の受信状態が悪い状態であるにも関わらずシングル受信を行なうことで、ダイバーシティ受信装置の受信特性が劣化することを防ぐことができる。
【０１０３】
また、本発明の実施の形態に係るダイバーシティ受信装置では、図８のステップＳ２３に示すように、ＢＥＲが所定値Ｘ１より大きいか、または、ＡＧＣ制御値が所定値Ｘ２より大きいか、または、ずれ異常数が所定値Ｘ３より大きい場合をシングル受信からダイバーシティ受信に切り替える条件としているのに対して、図９のステップＳ３３に示すように、ＢＥＲが所定値Ｙ１より小さく、かつ、ＡＧＣ制御値が所定値Ｘ２より小さく、かつ、ずれ異常数が所定値Ｘ３より小さい場合をダイバーシティ受信からシングル受信へ切り替える条件としている。すなわち、シングル受信からダイバーシティ受信へ切り替える条件を緩く設定し、ダイバーシティ受信からシングル受信へ切り替える条件を厳しく設定している。このような構成により、ダイバーシティ受信装置の受信特性の向上および受信特性の劣化の防止を適切に行なうことができる。
【０１０４】
なお、図８および図９に示すフローチャートでは、アンテナ選択部８は、ＢＥＲ、ＡＧＣ制御値およびずれ異常数のすべてを、シングル受信を行なうべきかダイバーシティ受信を行なうべきかの判断対象とする構成としたが、これに限定するものではなく、これらのうち少なくとも１つに基づいてシングル受信を行なうべきかダイバーシティ受信を行なうべきかを判断する構成とすることができる。
【０１０５】
［切替判断基準の第２の例］
図１０は、本発明の実施の形態に係るダイバーシティ受信装置におけるアンテナ選択部８が、シングル受信からダイバーシティ受信に切り替えるべきであると判断する際の動作手順の第２の例を定めたフローチャートである。
【０１０６】
アンテナ選択部８は、このダイバーシティ受信装置が搭載される携帯電話およびＰＤＡ（Personal Digital Assistant）等の携帯情報端末にイヤホーンアンテナが接続された場合には（Ｓ４１でＹＥＳ）、携帯情報端末のアンテナが１本から２本になるため、シングル受信より受信特性が良好になるダイバーシティ受信を行なうべきであると判断する（Ｓ４２）。ここで、イヤホーンアンテナとは、通常のイヤホーンにアンテナ機能が備えられてイヤホーンおよびアンテナが一体化されたものである。
【０１０７】
図１１は、本発明の実施の形態に係るダイバーシティ受信装置におけるアンテナ選択部８が、ダイバーシティ受信からシングル受信に切り替えるべきであると判断する際の動作手順の第２の例を定めたフローチャートである。
【０１０８】
アンテナ選択部８は、このダイバーシティ受信装置が搭載される携帯電話およびＰＤＡ等の携帯情報端末からイヤホーンアンテナが外れた場合には（Ｓ５１でＹＥＳ）、携帯情報端末のアンテナが２本から１本になるため、シングル受信を行なうべきであると判断する（Ｓ５２）。
【０１０９】
［切替判断基準の第３の例］
図１２は、本発明の実施の形態に係るダイバーシティ受信装置におけるアンテナ選択部８が、シングル受信からダイバーシティ受信に切り替えるべきであると判断する際の動作手順の第３の例を定めたフローチャートである。
【０１１０】
アンテナ選択部８は、このダイバーシティ受信装置が搭載される携帯電話およびＰＤＡ等の携帯情報端末の電池残量が所定値Ｚより多い場合には（Ｓ６１でＹＥＳ）、携帯情報端末が電池切れとなる恐れが少ないため、シングル受信より受信特性が良好になるダイバーシティ受信を行なうべきであると判断する（Ｓ６２）。
【０１１１】
図１３は、本発明の実施の形態に係るダイバーシティ受信装置におけるアンテナ選択部８が、ダイバーシティ受信からシングル受信に切り替えるべきであると判断する際の動作手順の第３の例を定めたフローチャートである。
【０１１２】
アンテナ選択部８は、このダイバーシティ受信装置が搭載される携帯電話およびＰＤＡ等の携帯情報端末の電池残量が所定値Ｚより少なくなると（Ｓ７１でＹＥＳ）、携帯情報端末が電池切れとなる恐れがあるため、ダイバーシティ受信より消費電力の小さいシングル受信を行なうべきであると判断する（Ｓ７２）。
【０１１３】
［切替判断基準の第４の例］
図１４は、本発明の実施の形態に係るダイバーシティ受信装置におけるアンテナ選択部８が、シングル受信からダイバーシティ受信に切り替えるべきであると判断する際の動作手順の第４の例を定めたフローチャートである。
【０１１４】
アンテナ選択部８は、このダイバーシティ受信装置が搭載される携帯電話およびＰＤＡ等の携帯情報端末を使用しているユーザが受信特性を向上したいと考え、シングル受信からダイバーシティ受信に変更する操作を携帯情報端末に対して行なった場合には（Ｓ８１でＹＥＳ）、ダイバーシティ受信を行なうべきと判断する（Ｓ８２）。
【０１１５】
図１５は、本発明の実施の形態に係るダイバーシティ受信装置におけるアンテナ選択部８が、ダイバーシティ受信からシングル受信に切り替えるべきであると判断する際の動作手順の第４の例を定めたフローチャートである。
【０１１６】
アンテナ選択部８は、このダイバーシティ受信装置が搭載される携帯電話およびＰＤＡ等の携帯情報端末を使用しているユーザが携帯情報端末の電池を節約したいためにダイバーシティ受信からシングル受信に変更する操作を携帯情報端末に対して行なった場合には（Ｓ９１でＹＥＳ）、シングル受信を行なうべきであると判断する（Ｓ９２）。
【０１１７】
［切替判断基準の第５の例］
図１６は、本発明の実施の形態に係るダイバーシティ受信装置におけるアンテナ選択部８が、シングル受信からダイバーシティ受信に切り替えるべきであると判断する際の動作手順の第５の例を定めたフローチャートである。
【０１１８】
アンテナ選択部８は、このダイバーシティ受信装置が搭載される携帯電話およびＰＤＡ等の携帯情報端末の電池残量が所定値Ｚより多い場合であって、かつ、この携帯情報端末を使用しているユーザが受信特性を向上したいと考えてシングル受信からダイバーシティ受信に変更する操作を携帯情報端末に対して行なった場合には（Ｓ１０１でＹＥＳ）、ダイバーシティ受信を行なうべきと判断する（Ｓ１０２）。
【０１１９】
図１７は、本発明の実施の形態に係るダイバーシティ受信装置におけるアンテナ選択部８が、ダイバーシティ受信からシングル受信に切り替えるべきであると判断する際の動作手順の第５の例を定めたフローチャートである。
【０１２０】
アンテナ選択部８は、このダイバーシティ受信装置が搭載される携帯電話およびＰＤＡ等の携帯情報端末の電池残量が所定値Ｚより少なくなり、かつ、この携帯情報端末を使用しているユーザが携帯情報端末の電池を節約したいためにダイバーシティ受信からシングル受信に変更する操作を携帯情報端末に対して行なった場合には（Ｓ１１１でＹＥＳ）、シングル受信を行なうべきであると判断する（Ｓ１１２）。
【０１２１】
ところで、特許文献１記載のダイバーシティ受信装置では、常にダイバーシティ受信を行なう構成であるため、省電力化を図れないという問題点があった。
【０１２２】
しかしながら、本発明の実施の形態に係るダイバーシティ受信装置では、アンテナ選択部８は、無線信号の受信状態、イヤホーンアンテナの着脱、電池残量またはユーザ判断に基づいて、このダイバーシティ受信装置がシングル受信を行なうべきかダイバーシティ受信を行なうべきかを判断し、アンテナ１ａおよびアンテナ１ｂのいずれか一方を選択するか、またはアンテナ１ａおよびアンテナ１ｂの両方を選択するかを決定する。
【０１２３】
したがって、本発明の実施の形態に係るダイバーシティ受信装置では、ダイバーシティ受信およびシングル受信を所定の条件に基づいて適切に切り替えることができ、かつ、ダイバーシティ受信装置の省電力化を図ることができる。
【０１２４】
また、従来のダイバーシティ受信装置では、ダイバーシティ受信およびシングル受信を切り替える際に受信特性が劣化するという問題点があった。
【０１２５】
しかしながら、本発明の実施の形態に係るダイバーシティ受信装置では、制御部９は、
シングル受信からダイバーシティ受信に切り替える必要がある場合には、新たに選択されるアンテナ１ｂに対応するチューナ２ｂを起動し、次に、Ａ／Ｄ変換部３ｂを起動し、次に、ＯＦＤＭ復調部４ｂへのクロック供給をクロック生成部５に開始させ、次に、ＯＦＤＭ復調部４ｂをリセットし、次に、シンボル同期部６０およびクロック同期部６１において同期が確立するまでに十分な期間待機し、次に、新たに選択されるアンテナ１ｂに対応する受信データの選択合成を開始する命令をデータ選択合成部６へ出力し、次に、新たに選択されるアンテナ１ｂに対応する相関値の選択合成を開始する命令を相関値選択合成部７へ出力する。
【０１２６】
一方、制御部９は、ダイバーシティ受信からシングル受信に切り替える必要がある場合には、新たに非選択となるアンテナ１ｂに対応する相関値の選択合成を停止する命令を相関値選択合成部７へ出力し、次に、新たに非選択となるアンテナ１ｂに対応する受信データの選択合成を停止する命令をデータ選択合成部６へ出力し、次に、ＯＦＤＭ復調部４ｂへのクロック供給をクロック生成部５に停止させ、次に、Ａ／Ｄ変換部３ｂを停止し、次に、チューナ２ｂを停止する。
【０１２７】
このような構成により、各ブロックの不適切な起動順序または停止順序に起因する受信特性の劣化を防ぎ、かつ、各ブロックで同時にオーバーシュートが発生することによる受信特性の劣化を防ぐことができる。すなわち、本発明の実施の形態に係るダイバーシティ受信装置では、ダイバーシティ受信およびシングル受信の切り替えに起因する受信特性の劣化を防ぐことができる。
【０１２８】
［変形例］
本発明は、上記実施の形態に限定されるものではなく、たとえば以下の変形例も含まれる。
【０１２９】
（１）  アンテナ
本発明の実施の形態に係るダイバーシティ受信装置は、アンテナ１ａに対応する受信部１００ａおよびアンテナ２ｂに対応する受信部１００ｂを備える構成としたが、これに限定するものではない。アンテナを３本以上備え、これらのアンテナと１対１で接続される複数の受信部を備える構成とすることができる。
【０１３０】
すなわち、アンテナ選択部８が、所定の条件に基づいて複数本のアンテナをそれぞれ選択するか非選択とするかを決定する。また、制御部９が、新たに選択されるかまたは非選択となるアンテナに対応するチューナの起動または停止、Ａ／Ｄ変換部の起動または停止、ＯＦＤＭ復調部へのクロック供給の開始または停止、データ選択合成部６における選択合成の開始または停止、および相関値選択合成部７における選択合成の開始または停止を所定の順番で行なわせる。
【０１３１】
このような構成でも、ダイバーシティ受信およびシングル受信を切り替えることによって省電力化を図るとともに、ダイバーシティ受信およびシングル受信の切り替えに起因する受信特性の劣化を防ぐという本発明の目的を達成することができる。
【０１３２】
（２）  変調方式
本発明の実施の形態に係るダイバーシティ受信装置は、地上デジタル放送の技術規格であるＩＳＤＢ−ＴにしたがったＯＦＤＭ変調された無線信号を受信する構成としたが、これに限定するものではない。複数本のアンテナを備え、ダイバーシティ受信を行なうことが可能な無線装置であれば、どのような変調方式でもよく、たとえば、ＱＰＳＫ変調のみが行なわれた無線信号を受信するダイバーシティ受信装置の場合には、相関値選択合成部７は不要であり、各ブロックの起動順序および停止順序において相関値選択合成部７を考慮する必要はない。
【０１３３】
（３）  チューナ２、Ａ／Ｄ変換部３およびＯＦＤＭ復調部４の起動順序および停止順序
本発明の実施の形態に係るダイバーシティ受信装置では、制御部９は、ダイバーシティ受信およびシングル受信を切り替える必要がある場合には、チューナ２ｂの起動または停止と、Ａ／Ｄ変換部３ｂの起動または停止と、ＯＦＤＭ復調部４ｂへのクロック供給の開始または停止とを順番に行なう構成としたが、これに限定するものではない。
【０１３４】
チューナ２、Ａ／Ｄ変換部３およびＯＦＤＭ復調部４を含む受信部１００と、データ選択合成部６における受信データの選択合成と、相関値選択合成部７における相関値の選択合成とを所定の順番で起動または停止する構成であればよい。すなわち、チューナ２ｂ、Ａ／Ｄ変換部３ｂおよびＯＦＤＭ復調部４ｂの起動または停止を同時に行なう構成とすることができる。
【０１３５】
このような構成により、制御部９が行なうダイバーシティ受信およびシングル受信の切り替え制御を簡易化することができ、制御部９の構成の簡易化および処理量の低減を図ることができる。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３７】
【図１】本発明の実施の形態に係るダイバーシティ受信装置の機能ブロック図である。
【図２】（ａ）は、１フレーム期間のＯＦＤＭ信号の構成を示す図である。（ｂ）は、１シンボル期間のＯＦＤＭ信号の構成を示す図である。
【図３】本発明の実施の形態に係るダイバーシティ受信装置におけるＯＦＤＭ復調部４の機能ブロック図である。
【図４】モード／ガードインターバルごとの相関値算出回路７０の構成を示す図である。
【図５】信号Ｘ（ｔ）と、遅延信号ＤＸ（ｔ）と、相関値Ｒ（ｔ）の時間変化を表わす図である。
【図６】本発明の実施の形態に係るダイバーシティ受信装置がシングル受信からダイバーシティ受信に切り替わる際の動作手順を定めたフローチャートである。
【図７】本発明の実施の形態に係るダイバーシティ受信装置がダイバーシティ受信からシングル受信に切り替わる際の動作手順を定めたフローチャートである。
【図８】本発明の実施の形態に係るダイバーシティ受信装置におけるアンテナ選択部８が、シングル受信からダイバーシティ受信に切り替えるべきであると判断する際の動作手順の第１の例を定めたフローチャートである。
【図９】本発明の実施の形態に係るダイバーシティ受信装置におけるアンテナ選択部８が、ダイバーシティ受信からシングル受信に切り替えるべきであると判断する際の動作手順の第１の例を定めたフローチャートである。
【図１０】本発明の実施の形態に係るダイバーシティ受信装置におけるアンテナ選択部８が、シングル受信からダイバーシティ受信に切り替えるべきであると判断する際の動作手順の第２の例を定めたフローチャートである。
【図１１】本発明の実施の形態に係るダイバーシティ受信装置におけるアンテナ選択部８が、ダイバーシティ受信からシングル受信に切り替えるべきであると判断する際の動作手順の第２の例を定めたフローチャートである。
【図１２】本発明の実施の形態に係るダイバーシティ受信装置におけるアンテナ選択部８が、シングル受信からダイバーシティ受信に切り替えるべきであると判断する際の動作手順の第３の例を定めたフローチャートである。
【図１３】本発明の実施の形態に係るダイバーシティ受信装置におけるアンテナ選択部８が、ダイバーシティ受信からシングル受信に切り替えるべきであると判断する際の動作手順の第３の例を定めたフローチャートである。
【図１４】本発明の実施の形態に係るダイバーシティ受信装置におけるアンテナ選択部８が、シングル受信からダイバーシティ受信に切り替えるべきであると判断する際の動作手順の第４の例を定めたフローチャートである。
【図１５】本発明の実施の形態に係るダイバーシティ受信装置におけるアンテナ選択部８が、ダイバーシティ受信からシングル受信に切り替えるべきであると判断する際の動作手順の第４の例を定めたフローチャートである。
【図１６】本発明の実施の形態に係るダイバーシティ受信装置におけるアンテナ選択部８が、シングル受信からダイバーシティ受信に切り替えるべきであると判断する際の動作手順の第５の例を定めたフローチャートである。
【図１７】本発明の実施の形態に係るダイバーシティ受信装置におけるアンテナ選択部８が、ダイバーシティ受信からシングル受信に切り替えるべきであると判断する際の動作手順の第５の例を定めたフローチャートである。
【符号の説明】
【０１３８】
１ａ，１ｂ  アンテナ、２ａ，２ｂ  チューナ、３ａ，３ｂ  Ａ／Ｄ変換部、４ａ，４ｂ  ＯＦＤＭ復調部、５  クロック生成部、６  データ選択合成部、７  相関値選択合成部、８  アンテナ選択部、９  制御部、１０  デインタリーブ部、１１  デマッピング部、１２  誤り訂正部、５１  内挿部、５２  狭帯域キャリア同期部、５３  ＦＦＴ演算部、５４  広帯域キャリア同期部、５５  等化部、５６  フレーム同期・ＴＭＣＣ復号部、５７  最大値保持部、５８  比較部、５９  モード／ガードインターバル決定部、６０  シンボル同期部、６１  クロック同期部、６２  相関値算出部、７０  相関値算出回路、１００ａ，１００ｂ  受信部、１０１  選択合成部、１３１  遅延部、１３２  共役複素部、１３３  乗算器、１３４  移動平均部。
【図１】
2006246364.tif 000003
【図２】
2006246364.tif 000004
【図３】
2006246364.tif 000005
【図４】
2006246364.tif 000006
【図５】
2006246364.tif 000007
【図６】
2006246364.tif 000008
【図７】
2006246364.tif 000009
【図８】
2006246364.tif 000010
【図９】
2006246364.tif 000011
【図１０】
2006246364.tif 000012
【図１１】
2006246364.tif 000013
【図１２】
2006246364.tif 000014
【図１３】
2006246364.tif 000015
【図１４】
2006246364.tif 000016
【図１５】
2006246364.tif 000017
【図１６】
2006246364.tif 000018
【図１７】
2006246364.tif 000019